(57)【要約】【課題】  イルミネーション効果を向上させることができるようにすることを目的とする。【解決手段】  発光部が有する各色（Ｒ系、Ｇ系、Ｂ系）のＬＥＤからの入射光をイルミレンズ１５の受光部１５ａにおける受光面で受けると、入射光の入射角や、光を受けた受光面の角度の違いによって、各入射光がそれぞれ様々な方向に屈折する。多面体にレンズカットされたイルミレンズ１５に入光した光は、イルミレンズ１５内部を透過し、発光部１５ｂの表面で再度屈折して筐体外部に出射され、多方向に拡散していく。よって、イルミレンズ１５を介して出射された光を筐体外部から見ると、複数の色の光が任意に混色しながら発光部１５ｂが発光することとなるため、宝石に光を当てたときのように輝いて見えるようになり、イルミネーション効果を向上させることができる。【選択図】  図８
2006113166.tif 000002
【特許請求の範囲】
【請求項１】
所定の色光を出射する発光素子を有する光源と、
前記光源からの入射光を透過させるイルミネーションレンズと、を備え、
前記イルミネーションレンズは、前記光源からの入射光を複数の異なる方向に屈折させる形状に形成され、
前記発光素子からの入射光が、前記イルミネーションレンズを透過する際に複数方向に屈折して拡散して出射される
ことを特徴とするイルミネーション構造。
【請求項２】
イルミネーションレンズは、光源からの入射光が受光される受光部と、前記入射光が出射される出射部とを備え、
前記出射部の表面には、前記イルミネーションレンズの透明度を低下させるための加飾処理が施されている
請求項１記載のイルミネーション構造。
【請求項３】
イルミネーションレンズは、光源からの入射光が受光される受光部と、前記入射光が出射される出射部とを備え、
前記受光部の表面には、前記イルミネーションレンズの透明度を低下させるための加飾処理が施されている
請求項１または請求項２記載のイルミネーション構造。
【請求項４】
加飾処理は、ダイクロイック蒸着、またはハーフミラー蒸着によって施され、
出射部の表面に入射してくる光の少なくとも一部を、前記イルミネーションレンズを透過させることなく前記加飾処理が施された部分で反射させる
請求項２または請求項３記載のイルミネーション構造。
【請求項５】
加飾処理は、透過性塗装によって施され、
前記透過性塗装によって付された塗装色によりイルミネーションレンズの透明度を低下させる
請求項２または請求項３記載のイルミネーション構造。
【請求項６】
イルミネーションレンズは、受光部の表面が非平面形状となるように形成される
請求項２から請求項５のうちいずれかに記載のイルミネーション構造。
【請求項７】
イルミネーションレンズは、受光部が多面体にカットされた形状に形成される
請求項６記載のイルミネーション構造。
【請求項８】
イルミネーションレンズは、出射部の表面が非平面形状となるように形成される
請求項２から請求項７のうちいずれかに記載のイルミネーション構造。
【請求項９】
光源は、互いに異なる色光を出射する複数の発光素子を有する
請求項１から請求項８のうちいずれかに記載のイルミネーション構造。
【請求項１０】
光源が有する発光素子を移動させる発光素子移動制御手段を備えた
請求項１から請求項９のうちいずれかに記載のイルミネーション構造。
【請求項１１】
イルミネーションレンズを動作させるレンズ動作制御手段を備えた
請求項１から請求項１０のうちいずれかに記載のイルミネーション構造。
【請求項１２】
電気部品を備える電子機器であって、
前記電子機器の筐体内部に設置され、所定の色光を出射する発光素子を有する光源と、
前記光源からの入射光を前記筐体の外部に向けて透過させるイルミネーションレンズと、を備え、
前記イルミネーションレンズは、前記光源からの入射光を複数の異なる方向に屈折させる形状に形成され、
前記発光素子からの入射光が、前記イルミネーションレンズを透過する際に複数方向に屈折して拡散して出射される
ことを特徴とする電子機器。
【請求項１３】
イルミネーションレンズは、光源からの入射光が受光される受光部と、前記入射光が出射される出射部とを備え、
前記出射部の表面には、前記イルミネーションレンズの透明度を低下させるための加飾処理が施されている
請求項１２記載の電子機器。
【請求項１４】
イルミネーションレンズは、光源からの入射光が受光される受光部と、前記入射光が出射される出射部とを備え、
前記受光部の表面には、前記イルミネーションレンズの透明度を低下させるための加飾処理が施されている
請求項１２または請求項１３記載の電子機器。
【請求項１５】
加飾処理は、ダイクロイック蒸着、またはハーフミラー蒸着によって施され、
出射部の表面に入射してくる光の少なくとも一部を、前記イルミネーションレンズを透過させることなく前記加飾処理が施された部分で反射させる
請求項１３または請求項１４記載の電子機器。
【請求項１６】
加飾処理は、透過性塗装によって施され、
前記透過性塗装によって付された塗装色によりイルミネーションレンズの透明度を低下させる
請求項１３または請求項１４記載の電子機器。
【請求項１７】
イルミネーションレンズは、受光部の表面が非平面形状となるように形成される
請求項１３から請求項１６のうちいずれかに記載の電子機器。
【請求項１８】
イルミネーションレンズは、受光部が多面体にカットされた形状に形成される
請求項１７記載の電子機器。
【請求項１９】
イルミネーションレンズは、出射部の表面が非平面形状となるように形成される
請求項１３から請求項１８うちいずれかに記載の電子機器。
【請求項２０】
光源は、赤色光を出射する赤色発光素子と、緑色光を出射する緑色発光素子と、青色光を出射する青色発光素子とを有するマルチカラー光源であり、
あらかじめ定められた発光条件が成立したときに、あらかじめ定められた色選択情報に応じて発光色を決定する発光色決定手段を備え、
前記マルチカラー光源は、前記発光色決定手段によって決定された発光色の色光を出射する
請求項１２から請求項１９のうちいずれかに記載の電子機器。
【請求項２１】
光源が有する発光素子を移動させる発光素子移動制御手段を備えた
請求項１２から請求項２０のうちいずれかに記載の電子機器。
【請求項２２】
イルミネーションレンズを動作させるレンズ動作制御手段を備えた
請求項１２から請求項２１のうちいずれかに記載の電子機器。
【請求項２３】
無線通信によってデータを送受信する携帯通信機器として構成される
請求項１２から請求項２２のうちいずれかに記載の電子機器。
【請求項２４】
無線通信によって通話を行うための通話機能を備えた携帯電話機として構成される
請求項１２から請求項２３のうちいずれかに記載の電子機器。
【発明の詳細な説明】
【技術分野】
【０００１】
本発明は、着信時や通話時等にエンブレム等を多彩な色彩で発光表示させる例えば携帯通信機機などの電子機器に適用されるイルミネーション構造、および該イルミネーション構造を備えた電子機器に関する。
【背景技術】
【０００２】
近年、携帯電話機の普及が進む中、本来の電話機としての機能に加え、ファッションとして認識が高まりつつあり、優れたデザイン性が求められてきている。
【０００３】
一方、携帯電話機は、その性質上、小型軽量化が求められているため、大掛かりな加飾を行うことは困難な状況にある。
【０００４】
従来から、例えば携帯電話機などの携帯型の電子機器には、着信時に点滅してその旨を通知したり、通話時にエンブレムを多彩な色彩で発光表示させるための表示用発光部が設けられているものがあった。
【０００５】
なお、特許文献１には、ダイヤモンドカット様のガラス玉によって形成された押釦を備えた携帯電話機が記載されている。
【０００６】
【特許文献１】登録実用新案第３０７４２８７号公報（段落００１０、図１−３）
【発明の開示】
【発明が解決しようとする課題】
【０００７】
上述したように、従来の携帯電話機においても、着信時などに表示用発光部を発光させるようにしていたが、単に発光させるだけでは十分なイルミネーション効果を得ることができないという課題があった。
【０００８】
また、特許文献１に記載された技術は、主として指頭で押釦を操作する際に指先が滑らないようにするためのものであり、イルミネーション効果を有効に得ることはできないと考えられる。
【０００９】
本発明は、上述した問題を解消し、イルミネーション効果を向上させることができるようにすることを目的とする。
【課題を解決するための手段】
【００１０】
本発明のイルミネーション構造は、所定の色光を出射する発光素子（例えばＬＥＤ１３ａ）を有する光源（例えば発光部１３）と、光源からの入射光を透過させるイルミネーションレンズ（例えばイルミネーションレンズ１５）と、を備え、イルミネーションレンズは、光源からの入射光を複数の異なる方向に屈折させる形状（例えば図５参照）に形成され、発光素子からの入射光が、イルミネーションレンズを透過する際に複数方向に屈折して拡散して出射される（例えば図８参照）ことを特徴とする。
【００１１】
上記の構成としたことで、発光素子からの入射光を複数方向に屈折して拡散して出射させることができ、イルミネーションレンズから放出される光を、様々な混色状態の光がそれぞれ混色状態を変化させていくような光とすることができるため、宝石が輝いているかのようなイルミネーションを実現することができ、イルミネーション効果を向上させることができる。
【００１２】
イルミネーションレンズは、光源からの入射光が受光される受光部（例えば受光部１５ａ）と、入射光が出射される出射部（例えば出射部１５ｂ）とを備え、例えば、出射部の表面に、イルミネーションレンズの透明度を低下させるための加飾処理（例えば表面加飾処理：図６参照）が施されていることが好ましい。
【００１３】
上記の構成とすれば、イルミネーションレンズを介して部品などが視認されてしまうことを防止することができるとともに、イルミネーションを用いた意外性のある演出を行うことができるようになる。
【００１４】
イルミネーションレンズは、光源からの入射光が受光される受光部（例えば受光部１５ａ）と、入射光が出射される出射部（例えば出射部１５ｂ）とを備え、例えば、受光部の表面に、イルミネーションレンズの透明度を低下させるための加飾処理（例えば図１３参照）が施されていることが好ましい。
【００１５】
上記の構成とすれば、イルミネーションレンズを介して部品などが視認されてしまうことを防止することができるとともに、イルミネーションを用いた意外性のある演出を行うことができるようになる。
【００１６】
加飾処理は、例えば、ダイクロイック蒸着、またはハーフミラー蒸着によって施され、出射部の表面に入射してくる光の少なくとも一部を、イルミネーションレンズを透過させることなく加飾処理が施された部分で反射させる（例えば図１０、図１４参照）。
【００１７】
加飾処理は、例えば、透過性塗装によって施され、透過性塗装によって付された塗装色によりイルミネーションレンズの透明度を低下させる。
【００１８】
イルミネーションレンズは、例えば、受光部の表面が非平面形状となるように形成される（例えば図５、図１１参照）。具体的には、イルミネーションレンズは、例えば、受光部が多面体にカットされた形状（例えば図５参照）に形成される。
【００１９】
また、例えば、イルミネーションレンズは、出射部の表面が非平面形状となるように形成される（例えば図１２参照）。
【００２０】
光源は、互いに異なる色光を出射する複数の発光素子を有するように構成されていてもよい。
【００２１】
光源が有する発光素子を移動させる発光素子移動制御手段を備えていてもよい。また、イルミネーションレンズを動作させるレンズ動作制御手段を備えていてもよい。
【００２２】
本発明の電子機器は、電気部品（例えば電子機器によって制御される部品）を備える電子機器（例えば携帯電話機、ＰＤＡ、カラオケ装置、玩具）であって、電子機器の筐体（例えば筐体３０）内部に設置され、所定の色光を出射する発光素子（例えばＬＥＤ１３ａ）を有する光源（例えば発光部１３）と、光源からの入射光を筐体の外部に向けて透過させるイルミネーションレンズ（例えばイルミネーションレンズ１５）と、を備え、イルミネーションレンズは、光源からの入射光を複数の異なる方向に屈折させる形状（例えば図５参照）に形成され、発光素子からの入射光が、イルミネーションレンズを透過する際に複数方向に屈折して拡散して出射される（例えば図８参照）ことを特徴とする。
【００２３】
上記の構成としたことで、発光素子からの入射光を複数方向に屈折して拡散して出射させることができ、筐体からイルミネーションレンズを介して放出される光を、様々な混色状態の光がそれぞれ混色状態を変化させていくような光とすることができるため、宝石が輝いているかのようなイルミネーションを実現することができ、イルミネーション効果を向上させることができる。
【００２４】
イルミネーションレンズは、光源からの入射光が受光される受光部（例えば受光部１５ａ）と、入射光が出射される出射部（例えば出射部１５ｂ）とを備え、例えば、出射部の表面に、イルミネーションレンズの透明度を低下させるための加飾処理（例えば表面加飾処理：図６参照）が施されていることが好ましい。
【００２５】
上記の構成とすれば、イルミネーションレンズを介して部品などが視認されてしまうことを防止することができるとともに、イルミネーションを用いた意外性のある演出を行うことができるようになる。
【００２６】
イルミネーションレンズは、光源からの入射光が受光される受光部（例えば受光部１５ａ）と、入射光が出射される出射部（例えば出射部１５ｂ）とを備え、受光部の表面には、イルミネーションレンズの透明度を低下させるための加飾処理が施されている（例えば図３参照）ことが好ましい。
【００２７】
上記の構成とすれば、イルミネーションレンズを介して部品などが視認されてしまうことを防止することができるとともに、イルミネーションを用いた意外性のある演出を行うことができるようになる。
【００２８】
加飾処理は、例えば、ダイクロイック蒸着、またはハーフミラー蒸着によって施され、出射部の表面に入射してくる光の少なくとも一部を、イルミネーションレンズを透過させることなく加飾処理が施された部分で反射させる（例えば図１０、図１４参照）。
【００２９】
加飾処理は、例えば、透過性塗装によって施され、透過性塗装によって付された塗装色によりイルミネーションレンズの透明度を低下させる。
【００３０】
イルミネーションレンズは、例えば、受光部の表面が非平面形状となるように形成される（例えば図５、図１１参照）。具体的には、イルミネーションレンズは、例えば、受光部が多面体にカットされた形状（例えば図５参照）に形成される。
【００３１】
また、例えば、イルミネーションレンズは、出射部の表面が非平面形状となるように形成される（例えば図１２参照）。
【００３２】
光源は、赤色光を出射する赤色発光素子（例えば赤色ＬＥＤ）と、緑色光を出射する緑色発光素子（例えば緑色ＬＥＤ）と、青色光を出射する青色発光素子（例えば青色ＬＥＤ）とを有するマルチカラー光源であり、あらかじめ定められた発光条件が成立したとき（例えば、誕生月であったとき）に、あらかじめ定められた色選択情報（例えば、１月から１２月までの各月と、発光色とが対応付けされている情報）に応じて発光色を決定（例えば誕生石と同じ色に決定）する発光色決定手段（例えば制御部１１）を備え、マルチカラー光源は、発光色決定手段によって決定された発光色の色光を出射するように構成されていてもよい。
【００３３】
光源が有する発光素子を移動させる発光素子移動制御手段を備えていてもよい。また、イルミネーションレンズを動作させるレンズ動作制御手段を備えていてもよい。
【００３４】
電子機器が、無線通信によってデータを送受信する携帯通信機器（例えば、携帯電話機、ＰＤＡ等）として構成されていてもよい。
【００３５】
電子機器が、無線通信によって通話を行うための通話機能を備えた携帯電話機（例えば、携帯電話機１０）として構成されていてもよい。
【発明の効果】
【００３６】
本発明によれば、発光素子からの入射光が、イルミネーションレンズを透過する際に複数方向に屈折して拡散して出射される構成としたので、イルミネーション効果を向上させることができる。
【発明を実施するための最良の形態】
【００３７】
以下、本発明の実施の形態について図面を参照して説明する。
図１は、本発明の一実施の形態における携帯電話機１０の外観構成の例を示す外観図である。
【００３８】
図１（Ａ）は、開いた状態の折畳式携帯電話機１０を正面から見た正面図である。図１（Ｂ）は、開いた状態の折畳式携帯電話機１０を背面側から見た背面図である。図１（Ｃ）は、開いた状態の折畳式携帯電話機１０を左側面から見た左側面図である。図１（Ｄ）は、開いた状態の折畳式携帯電話機１０を右側面から見た右側面図である。図１（Ｅ）は、開いた状態の折畳式携帯電話機１０を上方から見た上面図である。図１（Ｆ）は、開いた状態の折畳式携帯電話機１０を下方から見た下面図である。
【００３９】
図２は、閉じた状態の折畳式携帯電話機１０における上側筐体の背面側を示す背面図である。図３は、開いた状態の折畳式携帯電話機１０を正面から見た正面図である。図４は、携帯電話機１０の構成の例を示すブロック図である。
【００４０】
図１〜図４に示すように、本例の携帯電話機１０は、折畳可能な筐体３０を備えるとともに、本来の通話機能やデータ通信機能に加えて、内蔵されたカメラ２１による撮影機能を有する。
【００４１】
図３に示すように、筐体３０は、ヒンジ部３３で相互に結合された上側筐体３１と下側筐体３２とで構成される。ヒンジ部３３は、上側筐体３１と下側筐体３２とを回転自在に結合して携帯電話機１０に折畳可能な構成を付与している。
【００４２】
図４に示すように、携帯電話機１０は、制御部１１と、記憶部１２と、発光部１３と、ＬＥＤ駆動部１４と、イルミネーションレンズ１５と、電波の送受信を行うアンテナ１６と、無線通信部１７と、操作部１８と、主表示部１９と、補助表示部２０と、カメラユニット（以下、「カメラ」という。）２１と、リンガー発生器２２と、リンガー駆動部２３と、音声出力用のスピーカ２４と、音声入力用のマイクロフォン２５とを備えている。
【００４３】
制御部１１は、例えば、ＣＰＵ（中央処理装置）と、図示しない各種の周辺回路とで構成され、携帯電話機１０が備える各部の制御を行う機能を有する。
【００４４】
記憶部１２は、例えばＲＡＭなどの記憶媒体によって構成され、制御部１１が実行する制御プログラムなどの各種のデータが格納される。なお、記憶部１２の一部がＲＯＭによって構成されていてもよく、ＲＯＭ部分に制御プログラムが格納されていてもよい。
【００４５】
ＬＥＤ駆動部１４は、制御部１１の制御に従って、発光部１３を構成するＬＥＤ（発光ダイオード）に対して駆動信号を出力する機能を有する。
【００４６】
発光部１３は、ＬＥＤを有し、ＬＥＤ駆動部１４からの駆動進行に従って、例えば着信時や通話時などの所定のタイミングで発光する機能を有する。この例では、発光部１３は、色光が異なる複数種類のＬＥＤ、例えば赤色の色光を出射する赤色ＬＥＤと、緑色の色光を出射する緑色ＬＥＤと、青色の色光を出射する青色ＬＥＤとによるマルチカラー光源を有する。発光部１３からの出射光は、ＬＥＤ駆動部１４からの駆動進行に従って、ＲＧＢ信号の出力が変更されることで、様々な色に変化する。すなわち、発光部１３は、マルチカラーで発光する機能を有する。
【００４７】
イルミネーションレンズ１５は、図１および図２に示すように、上側筐体３１の背面側に設置され、色光が出射される面が上側筐体３１の外部に露出した状態に取り付けられる。イルミネーションレンズ１５は、光源である発光部１３からの入射光を透過し、携帯電話機１０の外部に出射させる構造を成す。
【００４８】
イルミネーションレンズ１５は、詳細は後述するが、発光部１３からの入射光が複数の異なる方向に屈折され、拡散して出射されるような形状に形成される。
【００４９】
上記のイルミネーションレンズ１５と、発光部１３とによって、イルミネーション構造が実現されている。
【００５０】
無線通信部１７は、所定の通信プロトコルに従って信号の変復調を行う機能を有する。具体的には、無線通信部１７は、無線信号を、アンテナ１６を介して受信して復調する処理を行う。また、無線通信部１７は、制御部１１から出力された信号を変調し、アンテナ１６を介して無線信号を送信する機能を有する。
【００５１】
操作部１８は、例えば電話番号の入力などを行うためのボタンやカメラ２０での撮像を指示するためのシャッタなどの入力装置によって構成され、ユーザの操作に応じた入力信号を制御部１１に出力する機能を有する。
【００５２】
主表示部１９は、例えばＬＣＤ（Ｌｉｑｕｉｄ  Ｃｒｙｓｔａｌ  Ｄｉｓｐｌａｙ：液晶表示装置）によって構成され、携帯電話機１０の折畳時に筐体３０の内側となる位置に配設される。主表示部１９には、例えば待ち受け画面や機能設定画面等が表示される。
【００５３】
補助表示部２０は、例えばＬＣＤによって構成され、携帯電話機１０の折畳時に筐体３０の外側となる位置に配設される。
【００５４】
カメラ２１は、例えばディジタルカメラが備える各種の機能を有し、被写体を撮像するＣＣＤ（Ｃｈａｒｇｅ  Ｃｏｕｐｌｅｄ  Ｄｅｖｉｃｅ）等の撮像素子や、撮像によった得た画像データを制御部４１に出力する回路などを備えている。
【００５５】
リンガー駆動部２３は、制御部１１の制御に従って、リンガー発生器２１に駆動信号を出力する機能を有する。
【００５６】
リンガー発生器２２は、リンガー駆動部２３からの駆動信号に従って、着信音を出力する機能を有する。
【００５７】
図５は、携帯電話機１０における上側筐体３１の内部構造の例を示す分解斜視図である。図５に示すように、上側筐体３１は、リアカバー３１ａと、フロントケース３１ｂとによって構成される。
【００５８】
また、上側筐体３１の内部には、発光部１３が有するＬＥＤ１３ａや各種の素子などが搭載されたパネル３４と、イルミネーションレンズ１５とが配設されている。
【００５９】
なお、発光部１３が有するＬＥＤ１３ａは、上側筐体３１が組み立てられたときに、出射光が、リアカバー３１ａに設けられている穴からイルミネーションレンズ１５を介して筐体３１外部に出射される位置に配設される。
【００６０】
図５に示すように、イルミネーションレンズ１５は、光源であるＬＥＤ１３ａからの光を受ける受光部１５ａと、ＬＥＤ１３ａからの入射光を筐体３０外部に出射する出射部１５ｂと、イルミネーションレンズ１５をリアカバー３１ａに取り付けるための取付構造を有する取付部１５ｃとによって形成される。
【００６１】
イルミネーションレンズ１５は、例えばＬＥＤ１３ａからの光を透過させる透明または半透明の合成樹脂によって、一体形成される。
【００６２】
イルミネーションレンズ１５は、上側筐体３１が組み立てられたときに、リアカバー３１ａに設けられている穴から出射部１５ｂの上面が露出した状態となるように、リアカバー３１ａに取付けられる。
【００６３】
イルミネーションレンズ１５のリアカバー３１ａへの取付けは、本例では、例えば組み立て作業を行う作業員によって、取付部１５ｃに形成されている２つの凹部（図５参照）にリアカバー３１ａに形成されている２つの突起部（図示せず）が挿入され、加熱処理により熱圧着されることにより行われる。
【００６４】
図６は、イルミネーションレンズ１５の外観構成の例を示す外観斜視図である。本例では、イルミネーションレンズ１５における出射部１５ｂの表面に、例えば、ハーフミラー蒸着、ダイクロイック蒸着、透過性塗装、印刷などによる表面加飾処理が施されている。「ハーフミラー蒸着」が施された場合には、一方向からの光（例えば筐体３０外部からの光）は反射するが他方向からの光（例えばＬＥＤ１３ａからの光）はそのまま透過される。また、「ダイクロイック蒸着」が施された場合には、一定の波長域の光を反射し、残りの光が透過される。そして、「透過性塗装」が施された場合には、光はそのまま透過されるが、塗装によって加飾されているため、その塗装によって付された塗装色により、イルミネーションレンズの透明度が低下される。この「透過性塗装」は、例えばプロセスインキと呼ばれる染料等によって透過性を有する色が塗付されることによって行われる。なお、表面加飾処理は、光源からの光を透過することができ（例えばあらかじめ定められた透過率（例えば３０％、５０％、７０％）以上の透過率が確保されていればよい）、筐体３０内部が視認され難くなる程度に施される。
【００６５】
上記のような表面加飾を施すことで、非照光時における携帯電話機１０の装飾性を向上させることができる。また、表面加飾処理によって透過率が低下されるので、非照光時に、携帯電話機１０の筐体３０外部から、イルミネーションレンズ１５を介して筐体３０内部が視認されることを防止することができる。
【００６６】
また、図６に示すように、本例のイルミネーションレンズ１５における受光部１５ａは、ＬＥＤ１３ａからの入射光を複数の角度の面で受けるように、受光面が多面体となるようにレンズカットされた形状を成している。すなわち、受光部１５ａは、多面体カットされた形状となっている。
【００６７】
図７は、ＬＥＤ１３ａからの入射光がイルミネーションレンズ１５を透過して出射する様子の例を示す説明図である。図８は、ＬＥＤ１３ａからの入射光がイルミネーションレンズ１５を透過して出射する様子の詳細の例を示す説明図である。
【００６８】
図８に示すように、発光部１３が有する各色（Ｒ系、Ｇ系、Ｂ系）のＬＥＤ１３ａからの入射光をイルミネーションレンズ１５の受光部１５ａにおける受光面で受けると、入射光の入射角や、光を受けた受光面の角度の違いによって、各入射光がそれぞれ様々な方向に屈折する。
【００６９】
多面体にレンズカットされたイルミネーションレンズ１５に入光した光は、図８に示すように、イルミネーションレンズ１５内部を透過し、出射部１５ｂの表面で再度屈折して筐体３０外部に出射され、多方向に拡散していく。
【００７０】
よって、イルミネーションレンズ１５を介して出射された光を筐体３０外部から見ると、複数の色の光が任意に混色しながら出射部１５ｂが発光することとなるため、例えば図７に示すように、宝石に光を当てたときのように輝いて見えるようになる。
【００７１】
図９は、イルミネーションレンズ１５における加飾処理が施される位置の詳細を示す説明図である。図９に示すように、この例では、イルミネーションレンズ１５における出射部１５ｂの表面に加飾処理が施されている。
【００７２】
図１０は、筐体３０の外部からの光が、イルミネーションレンズ１５の加飾処理部分で反射する様子の例を示す説明図である。図１０に示す例では、イルミネーションレンズ１５の出射部１５ｂに、ハーフミラー蒸着が施されているものとする。このハーフミラー蒸着による加飾処理が施されているため、筐体３０の外部からイルミネーションレンズ１５における出射部１５ｂの表面に到達した光は、その一部の光が図１０に示すようにして加飾処理部分で反射され、他の一部の光がイルミネーションレンズ１５内部に透過していく。このように、筐体３０の外部からイルミネーションレンズ１５に到達した光の一部が加飾処理を施した出射部１５ｂの表面で反射されるので、加飾処理が施されていない場合と比較すると、筐体３０内部が視認され難くなるのである。
【００７３】
なお、ダイクロイック蒸着による加飾処理を施した場合には、筐体３０の外部からイルミネーションレンズ１５における出射部１５ｂの表面に到達した光は、一定の波長域の光が加飾処理部分で反射され、一定の波長域でない残りの光がイルミネーションレンズ１５内部に透過していく。このように、筐体３０の外部からイルミネーションレンズ１５に到達した光のうち一定の波長域の光が加飾処理を施した出射部１５ｂの表面で反射されるので、加飾処理が施されていない場合と比較すると、筐体３０内部が視認され難くなる。また、ダイクロイック蒸着による加飾処理が施されている場合には、特定の光（一定の波長域の光）が加飾処理が施された部分（出射部１５ｂの表面）で反射されるため、あたかもルビー（赤）やサファイヤ（青）を筐体３０に埋め込んだかのようなイルミネーション効果を得ることができる。
【００７４】
以上説明したように、上述した実施の形態では、発光素子（ＬＥＤ１３ａ）からの入射光がイルミネーションレンズ１５に入射する際、およびイルミネーションレンズ１５を透過した光が出射する際に、複数方向に屈折され、イルミネーションレンズ１５から出射される光が拡散されるように構成したので、イルミネーション効果を向上させることができる。
【００７５】
すなわち、発光素子からの入射光を複数方向に屈折して拡散して出射させることができ、イルミネーションレンズ１５から放出される光を、様々な混色状態の光がそれぞれ混色状態を変化させていくような光とすることができるため、宝石が輝いているかのようなイルミネーションを実現することができ、イルミネーション効果を向上させることができる。
【００７６】
また、光源を発光させることによって着信などを報知する構成とされていた携帯電話端末であれば、発光部１３によって出射された光を複数の方向に屈折させて拡散して出射するように形成された多面体レンズカットのイルミネーションレンズ１５を備えるだけの簡単な構成で、イルミネーション効果を向上させることができる。
【００７７】
すなわち、従来から搭載されていた光源を使用し、多面体レンズカットされたイルミネーションレンズ１５を備えるだけの簡単な構成で、イルミネーション効果を向上させることができる。
【００７８】
また、上述した実施の形態では、イルミネーションレンズ１５の出射部１５ｂの表面に表面加飾処理を施す構成としたので、イルミネーションレンズ１５から光が出射されていなくても、イルミネーションレンズ１５が携帯電話機１０に設置されているだけで装飾効果を向上させることができる。そして、装飾効果を有するイルミネーションレンズ１５が、様々な混色状態の光を変化させながら放出することで、意外性のある装飾演出を行うことが可能となる。すなわち、単に装飾として用いられているように見えるイルミネーションレンズ１５が、さらに特徴的に発光することで、意外性のある装飾演出を行うことができるのである。
【００７９】
また、上述した実施の形態では、イルミネーションレンズ１５を、上側筐体３１のリアカバー３１ａに設けられた穴から出射部１５ｂの表面が露出するように、筐体３０に取り付けられる構成としたので、携帯電話機１０の未使用状態（例えば折り畳んだ状態）であっても、見えやすい位置で発光させることができ、装飾効果が高頻度で得られるようにすることができる。
【００８０】
なお、本例の発光部１３は、赤色、緑色、および青色の３原色の色光をそれぞれ出射する３つのＬＥＤによって構成されるマルチカラー光源を有する構成とされている。この発光部１３によって出力される複数種類の色光を用いて、イルミネーションレンズ１５を介して出射される光を様々な色にすることができ、多様なイルミネーション表現を行うことができる。
【００８１】
具体的には、例えば、複数種類の色光によって複数種類のイルミネーション表現を行うようにする場合に、着信時に、相手側（発信側）に応じて異なる色光を用いたイルミネーション表現を行うようにすればよい。この場合、相手側の電話番号と、イルミネーション表現を行う色光の種類とを対応付けした色光決定用データを、あらかじめ作成して記憶部１２に記憶させておくようにすればよい。そして、着信があったときに、制御部１１が、色光決定用データにもとづいて、イルミネーション表現を行う色光の種類を決定するようにすればよい。
【００８２】
また、例えば、複数種類の色光によって複数種類のイルミネーション表現を行うようにする場合に、携帯電話機のユーザの誕生月に合わせて、誕生月である月の間は、その月の誕生石と同じ色の色光を用いたイルミネーション表現を行うようにしてもよい。この場合、あらかじめ記憶部１２に記憶されている１月から１２月までの各月と、イルミネーション表現を行う色光の種類とを対応付けした色光決定用データを用いるようにすればよい。また、ユーザが、自分の誕生日を記憶部１２に設定しておくようにすればよい。そして、着信があったときに、制御部１１が、記憶部１２の設定情報にもとづいてユーザの誕生月であるか否か判定し、誕生月であれば、色光決定用データを用いてユーザの誕生月の誕生石と同じ色の色光をイルミネーション表現に用いることに決定するようにすればよい。
【００８３】
なお、上述した実施の形態では、イルミネーションレンズ１５が多面体カットされた形状に形成されるようにしていたが、発光部１３によって出射された光を複数の方向に屈折させて拡散して出射するような形状であれば、どのように形成されていてもよい。
【００８４】
図１１は、イルミネーションレンズの外観構成の他の例を示す外観図である。図１１に示すイルミネーションレンズは、受光部の表面に複数のドーム状の凸部が形成された形状となっている。このように形成した場合であっても、発光部１３によって出射された光を複数の方向に屈折させて拡散して出射することができ、同様のイルミネーション効果を得ることができる。
【００８５】
図１２は、イルミネーションレンズの外観構成のさらに他の例を示す外観図である。図１２に示すイルミネーションレンズは、発光部の表面に複数の凸部（例えば、ピラミッド状、山状の凸部）が形成された形状となっている。このように形成した場合であっても、発光部１３によって出射された光を複数の方向に屈折させて拡散して出射することができ、同様のイルミネーション効果を得ることができる。
【００８６】
図１１や図１２に例示した形状の他、例えば、イルミネーションレンズの受光部の表面に複数の切り欠きを入れた形状など、イルミネーションレンズの受光部または発光部に凹凸を有する形状であれば、他のどのような形状であってもよい。なお、イルミネーションレンズの受光部および発光部の双方に凹凸を有する形状であってもよい。
【００８７】
また、上述した実施の形態では、イルミネーションレンズ１５における出射部１５ｂの表面に加飾処理を施す構成としていたが、他の部分に加飾処理を施す構成としてもよい。例えば、イルミネーションレンズ１５における受光部１５ａの表面に加飾処理を施すようにしてもよい。
【００８８】
図１３は、イルミネーションレンズ１５における加飾処理が施される他の位置の詳細を示す説明図である。図１３に示すように、この例では、イルミネーションレンズ１５における受光部１５ａの表面に加飾処理が施されている。
【００８９】
図１４は、筐体３０の外部からの光が、イルミネーションレンズ１５の加飾処理部分で反射する様子の他の例を示す説明図である。筐体３０の外部からイルミネーションレンズ１５における出射部１５ｂの表面部分で屈折して入射した光は、受光部１５ａの表面に到達すると、その一部の光が図１４に示すようにして加飾処理部分で反射され、１回または複数回の反射によって出射部１５ｂの表面部分に進行し、出射部１５ｂの表面部分で屈折して筐体３０の外部に出射していく。また、筐体３０の外部からイルミネーションレンズ１５における出射部１５ｂの表面部分で屈折して入射し、受光部１５ａの表面に到達した光のうち、反射する光以外の他の一部の光は、イルミネーションレンズ１５を透過して、パネル３４の方へ進行していく。
【００９０】
上記のように、イルミネーションレンズ１５における受光部１５ａの表面に加飾処理を施す構成とした場合であっても、筐体３０の外部からイルミネーションレンズ１５に到達した光の一部が加飾処理部分で反射されるので、加飾処理が施されていない場合と比較して、筐体３０内部を視認し難くすることができる。
【００９１】
また、上記のように、イルミネーションレンズ１５の受光部１５ａの表面に表面加飾処理を施す構成としたので、イルミネーションレンズ１５から光が出射されていなくても、イルミネーションレンズ１５が携帯電話機１０に設置されているだけで装飾効果を向上させることができる。そして、装飾効果を有するイルミネーションレンズ１５が、様々な混色状態の光を変化させながら放出することで、意外性のある装飾演出を行うことが可能となる。すなわち、単に装飾として用いられているように見えるイルミネーションレンズ１５が、さらに特徴的に発光することで、意外性のある装飾演出を行うことができる。
【００９２】
なお、イルミネーションレンズ１５における出射部１５ｂの表面と、イルミネーションレンズ１５における受光部１５ａの表面との双方に、加飾処理を施す構成としてもよい。図１５は、イルミネーションレンズ１５における加飾処理が施される位置の他の例を示す説明図である。図１５に示すように、この例では、イルミネーションレンズ１５における出射部１５ｂの表面と、受光部１５ａの表面との双方に加飾処理が施されている。このように構成した場合には、筐体３０の外部からの光が、出射部１５ｂの表面と、受光部１５ａの表面との双方で反射され、その双方の何れにおいても反射されなかった光が、イルミネーションレンズ１５を透過して、パネル３４の方へ進行していくことになる。上記のように構成した場合であっても、筐体３０の外部からイルミネーションレンズ１５に到達した光の一部を２箇所の加飾処理部分でそれぞれ反射させることができ、加飾処理が施されていない場合と比較して、筐体３０内部を視認し難くすることができる。
【００９３】
なお、上述した実施の形態では、赤色、緑色、および青色の３原色の色光をそれぞれ出射する３つのＬＥＤを光源として用いる構成としていたが、他の色の色光を出射する複数のＬＥＤを用いるようにしてもよい。例えば、上述した実施の形態のようなＲＧＢの色光によるものではなく、ＣＭＹＫ（Ｃｙａｎ、Ｍａｇｅｎｔａ、Ｙｅｌｌｏｗ、Ｂｌａｃｋ）の色光によってマルチカラーを実現するようにしてもよい。
【００９４】
また、上述した実施の形態では、光源としてＬＥＤを用いるようにしていたが、ＥＬ（Ｅｌｅｃｔｒｏ  Ｌｕｍｉｎｅｓｃｅｎｃｅ）を利用した発光体や、ＦＥＤ（Ｆｉｅｌｄ  Ｅｍｉｓｓｉｏｎ  Ｄｉｓｐｌａｙ）で用いられている発光体など、他の発光体を光源として用いるようにしてもよい。
【００９５】
また、上述した実施の形態では、光源がパネル３４に固定設置される構成としていたが、光源を移動させるための機能を備える構成とし、光源を左右、上下、前後などに移動させるようにしてもよい。この場合、光源を移動させる光源移動制御手段を備え、例えば制御部１１の制御に従って、光源移動制御手段がモータなどの駆動手段に対して駆動信号を出力することにより、光源を左右、上下、前後などに移動させるようにすればよい。このように、光源を移動させながら発光させるようにすれば、多様なイルミネーション表現を行うことができるようになる。
【００９６】
なお、光源を動作させるのではなく、イルミネーションレンズ１５を動作させる構成とすうようにしてもよい。この場合、イルミネーションレンズ１５を動作させるレンズ動作制御手段を備え、例えば制御部１１の制御に従って、レンズ動作制御手段がモータなどの駆動手段に対して駆動信号を出力することにより、イルミネーションレンズ１５を左右、上下、前後などに移動させたり、イルミネーションレンズ１５を回転させるようにすればよい。このように、イルミネーションレンズ１５を移動させながら発光させるようにすれば、多様なイルミネーション表現を行うことができるようになる。
【００９７】
また、光源とイルミネーションレンズ１５との何れか一方でなく、光源とイルミネーションレンズ１５とを共に動作させるようにしてもよい。
【００９８】
なお、上述した実施の形態では、携帯電話機１０にイルミネーション構造を搭載する構成としていたが、簡易型携帯電話端末（ＰＨＳ：Ｐｅｒｓｏｎａｌ  Ｈａｎｄｙｐｈｏｎｅ  Ｓｙｓｔｅｍ）、携帯情報端末（ＰＤＡ：Ｐｅｒｓｏｎａｌ  Ｄｉｇｉｔａｌ  Ａｓｓｉｓｔａｎｔｓ）、携帯型のカラオケ装置などの他の携帯型の電子機器に適用するようにしてもよい。
【００９９】
また、携帯型の電子機器に限らず、例えば、イルミネーション機能を主機能とする単独のイルミネーション装置に適用するようにしてもよい。
【０１００】
さらに、携帯型の電子機器でなく、イルミネーション機能を備えた玩具や、固定型の電話機などの電子機器に適用することもできる。
【０１０１】
また、上述した実施の形態では、折畳式の携帯電話機１０を例に説明したが、折畳式でない携帯電話機に適用することができることは勿論である。
【産業上の利用可能性】
【０１０２】
本発明によれば、携帯型の電子機器としての携帯電話機、簡易型携帯電話端末（ＰＨＳ）、携帯情報端末（ＰＤＡ）などに適用するのに有用である。さらに、携帯型の電子機器に限らず、例えば、イルミネーション機能を主機能とする単独のイルミネーション装置や、イルミネーション機能を備えた玩具、カラオケ装置（本体、マイクロフォンのいずれにイルミネーション機能が搭載されていてもよい）などの電子機器に適用することもできる。
【図面の簡単な説明】
【０１０３】
【図１】本発明の一実施の形態における携帯電話機の外観構成の例を示す外観図である。
【図２】本発明の一実施の形態における携帯電話機の上側筐体を背面側から見た背面図である。
【図３】本発明の一実施の形態における開いた状態の携帯電話機を正面から見た正面図である。
【図４】本発明の一実施の形態における携帯電話機の構成の例を示すブロック図である。
【図５】上側筐体の内部構造の例を示す分解斜視図およびイルミネーションレンズの構成の例を示す外観斜視図である。
【図６】イルミネーションレンズに表面加飾処理が施された状態の例を示す外観斜視図である。
【図７】ＬＥＤからの入射光がイルミネーションレンズを透過して出射する様子の例を示す説明図である。
【図８】ＬＥＤからの入射光がイルミネーションレンズを透過して出射する様子の詳細の例を示す説明図である。
【図９】イルミネーションレンズにおける加飾処理が施される位置の詳細を示す説明図である。
【図１０】筐体の外部からの光がイルミネーションレンズの加飾処理部分で反射する様子の例を示す説明図である。
【図１１】イルミネーションレンズの外観構成の他の例を示す外観図である。
【図１２】イルミネーションレンズの外観構成のさらに他の例を示す外観図である。
【図１３】イルミネーションレンズにおける加飾処理が施される他の位置の詳細を示す説明図である。
【図１４】筐体の外部からの光がイルミネーションレンズの加飾処理部分で反射する様子の他の例を示す説明図である。
【図１５】イルミネーションレンズにおける加飾処理が施される位置の他の例を示す説明図である。
【符号の説明】
【０１０４】
１０    携帯電話機
１１    制御部
１２    記憶部
１３    発光部
１４    ＬＥＤ駆動部
１５    イルミネーションレンズ
１５ａ  受光部
１５ｂ  出射部
１５ｃ  取付部
１６    アンテナ
１７    無線通信部
１８    操作部
１９    主表示部
２０    補助表示部
２１    カメラ
２２    リンガー発生器
２３    リンガー駆動部
２４    スピーカ
２５    マイクロフォン
３０    筐体
３１    上側筐体
３１ａ  リアカバー
３１ｂ  フロントカバー
３２    下側筐体
３３    ヒンジ部
３４    パネル
【図１】
2006113166.tif 000003
【図２】
2006113166.tif 000004
【図３】
2006113166.tif 000005
【図４】
2006113166.tif 000006
【図５】
2006113166.tif 000007
【図６】
2006113166.tif 000008
【図７】
2006113166.tif 000009
【図８】
2006113166.tif 000010
【図９】
2006113166.tif 000011
【図１０】
2006113166.tif 000012
【図１１】
2006113166.tif 000013
【図１２】
2006113166.tif 000014
【図１３】
2006113166.tif 000015
【図１４】
2006113166.tif 000016
【図１５】
2006113166.tif 000017